(57)【要約】【課題】  テープの使用済み量が増大しても、テープ引出し力が増大しない塗膜転写具を提供する。【解決手段】  塗膜転写具１。ケース２。軸４にはテープ供給リール９が回転可能に支承され、軸５には巻取りリール１１が回転可能に支承されている。巻取りリールの上にはテープローラ２１が載置され、その貫通孔２２の内壁に、巻取りリール上面に立設された脚部１６が弾性変形した状態でその先端の当接部１７が接触し、巻取りリールとテープローラとは一体回転可能である。テープ３１は供給リールからテープローラ、転写ヘッド２５の転写部２６、巻取りリールへと伸びる。使用時にテープが引出される際、テープとテープローラとの間の摩擦でテープローラはテープと一体的に回転し、巻き取りリールも回転してテープを巻き取る。テープローラとの間に滑りを生じ、過剰の巻き取りをしない。テープローラの径は不変で、テープ巻取り力の大きさはほとんど変化しない。【選択図】図１
2006240041.tif 000002
【特許請求の範囲】
【請求項１】
ケースと、該ケース内に回動可能に支承されてたテープ供給リールと、先端の転写部をケースの外部に臨ませた状態でケースに取付けられた転写ヘッドと、前記供給リールから引出され、前記転写ヘッド先端を経たテープを巻き取る巻取りリールとを備えた塗膜転写具において、前記テープ供給リールから前記転写ヘッドの転写部へ伸びるテープの移動経路の途中に回転可能に支承されたテープローラが配置し、前記テープは、前記テープ供給リールから前記テープローラの外周の少なくとも一部上に捲き回されて前記転写ヘッドの転写部へ伸びており、前記テープローラは前記テープの移動と共に一体的に回転することを特徴とする、塗膜転写具。
【請求項２】
請求項１記載の塗膜転写具において、前記巻取りリールは前記テープローラと同軸上に配置され、、前記巻取りリールと前記テープローラとの間には、設定された値以下の回転力を伝達できる回転力伝達機構が設けられ、前記テープが前記テープローラを一体的に回転させる力は、前記設定された値より大きいことを特徴とする、塗膜転写具。
【請求項３】
請求項１または２記載の塗膜転写具において、前記テープが引出されるときに前記テープ゜供給リールの行う回転に対する抵抗がきわめて小さく設定されていることを特徴とする、塗膜転写具。
【発明の詳細な説明】
【技術分野】
【０００１】
本発明は塗膜転写具に関し、さらに詳細に言えば、テープの使用済み量が多くなっても、テープを引出すのに要するテープ引出し力が略一定に保たれるように改良された塗膜転写具に関する。
【背景技術】
【０００２】
従来からプラスチック製などのテープ基材に修正塗膜などを塗布した塗膜テープを使用した塗膜転写具が使用されている。この塗膜転写具は、例えば特開２００２−８６９８６号に示されるように、テープ供給リールから繰出されたテープから転写ヘッド部で塗膜を紙などへ転写し、使用済み部分のテープを巻取りリールで巻き取るようになっている。そして供給リールには大歯車を、巻取りリールにはそれと噛合う小歯車を取付け、供給リールの回転により巻取りリールも回転するように構成しているのが一般的である。そして、巻取りリールは小歯車と一体回転するが、供給リールと大歯車とは例えば摩擦で一体回転するようにして、大歯車に所定以上の抵抗が作用した場合には両者の間で滑りが生じるようにしている。これにより、供給リールから繰出されたテープは必ず巻取りリールに巻き取られる一方、過度に巻取りリールが回転してテープを裂断することなどがないようにしている。
【特許文献１】特開２００２−８６９８６号公報
【発明の開示】
【発明が解決しようとする課題】
【０００３】
図3を用いて従来例の転写具５１の構成を簡単に説明すると、図3は略対称に形成された上下のケース体で構成されるケース５２のうち上側ケース体を外した状態で示した図である。下ケース体５３には軸５４が形成され、この軸５４に大歯車５５の円筒状の軸部５６が嵌っている。符号５７は未使用のテープが巻き回された供給リールであり、大歯車５５の側面上に同心状に載置されると共に、その内周面には大歯車５５の側面上に中心に関して対称に二つ立設して形成された係止部５８が、大歯車５５の中心方向へ僅かに弾性変形した状態で接触している。従って供給リール５７が回ると大歯車５５も摩擦力により一体回転可能であるが、大歯車にある大きさ以上の抵抗が作用すると両者が滑ることとなる。なお、上記した特開２００２-８６９８６号では係止部５８に代えてＯリングを使用しているが、その機能は同じである。
【０００４】
下ケース体５３にはもう一つの軸５９が立設され、この軸５９に大歯車５５に噛合う小歯車６１及びその上に載置され一体回転するように形成された巻取りリール６０とが回転可能に支承されている。符号６２は公知の転写ヘッドであり、適宜な手段でケース５２に取り付けられ、その先端部である転写部６３はケース５２に形成された窓孔６５から外へ突出している。テープ６６は図示の通り供給リールから転写ヘッド６２を経て巻取りリール６０に巻き取られる。符号６４は転写部６３近傍において図の紙面に垂直方向両端に形成されたガイド板で、テープの両側縁をガイドする。
【０００５】
ところで上記のごとく構成された転写具５１においては、前述のごとくテープを引出すときに供給リール５７と大歯車５５との間に滑りが生じ、テープを引出すにはその際の摩擦力に打ち勝つだけの大きさの力が必要となるが、その力は供給リールを回転させるトルクとして作用する。供給リール５７と大歯車５５との間に生じる摩擦はテープの使用量に関係ないが、テープを使用するに連れて供給リール５７上に巻かれたテープ、パンケーキの径は小さくなる。従ってテープの使用が進むに連れてテープを引出すために要する力は大きくなり、最後の頃には初期の頃に比して倍以上の力が必要となり、転写作業が非常にやり難くなるという問題がある。
【０００６】
本願発明は上記従来の問題点に鑑みなされたものであり、テープの使用量に関係なくテープ引出し力が略一定になる、または少なくともテープ使用済み量が増大しても従来のようにテープ引出し力が初期に比して大幅に増大することのない塗膜転写具を提供することをその課題とする。
【課題を解決するための手段】
【０００７】
上記課題を解決するために本願発明は、ケースと、該ケース内に回動可能に支承されてたテープ供給リールと、先端の転写部をケースの外部に臨ませた状態でケースに取付けられた転写ヘッドと、前記供給リールから引出され、前記転写ヘッド先端を経たテープを巻き取る巻取りリールとを備えた塗膜転写具において、前記テープ供給リールから前記転写ヘッドの転写部へ伸びるテープの移動経路の途中に回転可能に支承されたテープローラが配置し、前記テープは、前記テープ供給リールから前記テープローラの外周の少なくとも一部上に捲き回されて前記転写ヘッドの転写部へ伸びており、前記テープローラは前記テープの移動と共に一体的に回転することを特徴とする塗膜転写具とした。
前記巻取りリールは前記テープローラと同軸上に配置され、、前記巻取りリールと前記テープローラとの間には、設定された値以下の回転力を伝達できる回転力伝達機構が設けられ、前記テープ賀前記テープローラを一体的に回転させる力は、前記設定された値より大きくなっている。
また、前記テープが引出されるときに前記テープ゜供給リールの行う回転に対する抵抗がきわめて小さく設定されている。
【発明の効果】
【０００８】
本発明においては、テープ供給リールとは別にテープローラを設け、そのテープローラに対する回転抵抗に打ち勝つことによりテープを引出す構成とした。テープローラの径はテープの使用済み量が増大しても変化しないので、テープ引出し力は略一定に保たれることとなる。
【発明を実施するための最良の形態】
【０００９】
以下、図面を参照して本発明の実施の形態について説明する。図１は本発明の実施の形態に基づく塗膜転写具１の正面図で、図３と同様に上ケース体を外した状態で示してある。図２は図１におけるＡ−Ａ線断面拡大端面図である。なおこれらの図には、本発明の理解に必要な部材のみを示し、本発明の要旨に直接関係を有しない部材の図示は省略してある。
【００１０】
転写具１はケース２を備え、このケース２は従来例と同様に略対称に形成された上下のケース体を合わせて形成されるが、前述のとおり図には下ケース体３のみを示してある。下ケース体３の図１で左右方向略中央上部に軸４が立設され、この軸４にテープ３１の未使用部分が巻き回されたテープ供給リール９が回転可能に支承されている。この供給リール９はテープ３１を引出す時には矢印Ｂ方向へ回転するが、常時は図示しない適宜手段により勝手に矢印Ｂ方向へは回転しないように、例えば小さな摩擦力が作用している。この摩擦力はテープ３１に供給リール９を矢印Ｂ方向へ回転させようとする力が作用したときにはほとんどその抵抗とならないぐらいに小さく設定されている。
【００１１】
下ケース体３には図１において軸４の右側下方にもう一つの軸５が立設されている。この軸５にはプラスチック製のテープ巻取りリール１１が回転可能に支承されている。巻取りリール１１は本体部となる円柱状の巻取り部１２とその上端部（図２）で径方向外方へ広がるフランジ１３と、巻取り部１２の上面中央部で上方へ伸びる軸部１４とを備え、その中央部で巻取り部１２から軸部１４へ貫通孔１５が形成され、この孔１５が軸５に嵌っている。
【００１２】
巻取りリール１１の上には円筒状のテープローラ２１が載置されている。この巻取りリール２１は例えばゴムなどで作成され、少なくともその外周面においては大きな摩擦係数を有する構成となっており、後述するようにその外周上に巻き回されるテープ３１との間に滑りが生じないようになっている。
【００１３】
前述の巻取りリール１１の上面には、軸部１４の外側にそれと同心状に、横断面が短い円弧状になった上方へ伸びる脚部１６が径方向で向い合って二つ形成されており、その脚部１６がテープローラ２１の貫通孔２２内に挿入され、その上端部の径方向外方へ膨出した当接部１７の外周部が貫通孔２２の内周面に当接している。この当接部１７の外径は自由状態では貫通孔２２の内径より若干大きくなっており、図示の取付け状態では脚部１６は弾性変形している。従ってこの部分で巻取りリール１１とテープローラ２１の間には摩擦力が作用しており、この摩擦力によりテープローラ２１が後述のごとく回転すると、巻取りリール１１も一緒に回転するが、巻取りリール１１に所定値以上の抵抗が作用すると両者の間には滑りが生じる。この関係は前述の従来例での供給リールと大歯車との関係と同じである。
【００１４】
なお、図示しないが、巻取りリール１１には、巻き取ったテープ３１が弛まないように例えば前述の特開２００２−８６９８６号の供給リールなどに採用されている逆転防止機構を設けておくことが望ましい。また、巻取りリール１１の巻取り方向への回転の障害となるものは機構上設けられていない。
【００１５】
符号２５は転写ヘッドであり、公知のものと同様の構成のものを採用可能であり、図示しない適宜な手段によりケース２に取り付け、その先端である転写部２６がケース２の窓孔６から外方へ突出している。符号２７はテープ３１の両側縁部を案内するガイド板である。テープ３１は図１において供給リール９に内側から時計回りに重ねて巻かれており、テープローラ２１の外周上に円周方向ある範囲で右回りに巻きつき、転写ヘッド２５の転写部２６を回って巻取りリール１１に巻きつけられている。この状態でテープ３１にはある程度の張力が作用しており、テープ３１はテープローラ２１の外周面上に圧接している。
【００１６】
使用に当たり、転写ヘッド２５の転写部２６を被転写部へ押付け、図１において転写具１を下方へ移動させると、供給リール９からテープ３１が引き出されることとなるが、その際、前述のようにテープローラ２１の外周面は大きな摩擦係数を有しているので、テープ３１の移動に連れてテープローラ２１はテープ３１との間に滑りを生じることなく図中矢印Ｃのごとく時計方向に回転する。それに伴い前述の当接部１７の作用によって巻取りリール１１も同じ方向へ回転する。
【００１７】
ここで、巻取りリール１１の巻取り部１２の外径はテープローラ２１の外径より若干大きくなっているので、巻取りリール１１は引出された分のテープは必ず巻取り、過剰な巻取り量の部分については巻取りリール１１とテープローラ２１との間に滑りが生じて吸収することとなる。なお、巻取りリール１１とテープローラ２１との間の摩擦よりテープローラ２１とテープ３１との間の摩擦の方が大きくなるように設定されており、テープ３１とテープローラ２１との間には滑りは生じないで、巻取りリール１１とテープローラ２１との間に滑りが生じるようになっている。
【００１８】
以上から判るとおり、テープを引出すために必要な力としては巻き取りリール１１とテープローラ２１との間の摩擦に打ち勝つ大きさは必要となるが、転写具の使用中テープローラ２１の外径に変化は生じないので、テープ３１を引出すのに要する力の大きさはテープ３１の使用済み量に関係無く略一定となる。なお、供給リール９は前述した通りテープ３１を繰出す際にはほとんど抵抗とはならないので、テープの引出し力にはほとんど影響を与えない。
【図面の簡単な説明】
【００１９】
【図１】本発明の実施の形態による嗚巻く転写具の上ケース体を外した状態の正面図である。
【図２】図１のＡ−Ａ線による断面拡大端面図である。
【図３】従来例を示す、図１と同様の正面図である。
【符号の説明】
【００２０】
１：塗幕転写具    ２：ケース    ３：下ケース体    ９：供給リール    １１：巻取りリール    １２：巻取り部    １３：フランジ    １６：脚部    １７：当接部    ２１：テープローラ    ２５：転写ヘッド    ２６：転写部    ３１：テープ
【図１】
2006240041.tif 000003
【図２】
2006240041.tif 000004
【図３】
2006240041.tif 000005